(57)【要約】【課題】部品数が少なく組み立てが容易で、製造コストを抑え、確実にロープを緊張させて固定でき、滑らず確実な位置決め効果を備えた、簡易式ロープ単方向滑動防止制動装置の提供。【解決手段】座体及び蓋体を組み合わせて外殼とし、前記座体及び蓋体の内部にローラー及び軸座部が設置され、前記軸座部はその側縁部に押さえ板が設けられ、蓋体外側に設置された回転つまみが連結されてその軸回転が制御され、前記回転つまみはバネを介して連結され、軸座部を回転させた後弾性により位置を回復することができ、ロープが殻体下端部片側のロープ入口溝部から穿入され、軸座部を通過しローラーに掛け回された後、殻体下端部他方の側のロープ出口溝部から穿出され、ロープが逆時計回り方向に引かれると円滑に引き動かされ、時計回り方向に引き出されると、軸座部の押さえ板がロープを押さえて引き出すことができず、これによりロープの単方向滑動防止制動装置が形成される。【選択図】図２
2007278360.tif 000002
【特許請求の範囲】
【請求項１】
主に座体及び蓋体から構成され、その内部にローラー及び軸座部が設置され、かつ、前記軸座部の上端部に回転つまみが設置され、そのうち、前記座体内に第一溝部及び第二溝部が設けられ、前記第一溝部に槽孔が形成され、前記第二溝部に位置決め孔が開設され、前記座体の下端部に前記第二溝部に通じるロープ入口溝部及びロープ出口溝部が設けられ、前記座体の前端部に結合部が設置されると共に、前記蓋体は内部に第一溝部及び第二溝部が設けられ、前記第一溝部に槽孔が形成され、前記第二溝部に通孔が開設され、前記通孔には前記蓋体上面に突出した管体が設置され、前記管体のそばにフック部が設置され、前記蓋体の下端部に前記第二溝部に通じるロープ入口溝部及びロープ出口溝部が設けられ、前記蓋体の前端部に突出片が設置され、前記ローラーは中央に中心孔が設けられ、前記中心孔内に中心軸棒が穿置され、前記中心軸棒が前記座体と蓋体それぞれの第一溝部の槽孔の間に位置決めされると共に、前記軸座部は側縁部に少なくとも１つの押さえ板が設置され、かつ、上端部にネジ孔が開設され、前記軸座部の上端部が前記蓋体の通孔の管体から外部に向かって穿出され、ネジを前記回転つまみに穿通した後前記軸座部上端部のネジ孔に螺合して前記軸座部と回転つまみが結合され、前記回転つまみ内部の中心及び側縁部にそれぞれ軸孔及び嵌入槽が設けられ、バネが前記回転つまみ内部に設置され、かつ、前記バネの一端が前記嵌入槽に固定され、前記蓋体を前記座体上に閉じ合わせ、ネジを前記蓋体及び座体に螺合して一体となった殼体を形成し、ロープを下端部の入口から穿入させて前記軸座部の押さえ板を通過させ前記ローラーに掛け回し、さらに前記軸座部の他方の側の押さえ板を通過して出口から穿出することを特徴とする簡易式ロープ単方向滑動防止制動装置。
【請求項２】
前記座体前端部に設けられた結合部が、前記座体前端部に連結された脚部である構成とした請求項１に記載の簡易式ロープ単方向滑動防止制動装置。
【請求項３】
前記座体前端部に設けられた脚部の周縁部にネジ孔が開設された構成とした請求項２に記載の簡易式ロープ単方向滑動防止制動装置。
【請求項４】
前記回転つまみ内部の中心に軸孔が設けられ、前記軸孔内に突出部が設置され、前記軸座部の上端部外側壁面に嵌合平面が形成され、前記突出部と前記回転つまみ上端部の嵌合平面とが相互に嵌合される構成とした請求項１に記載の簡易式ロープ単方向滑動防止制動装置。
【請求項５】
前記座体の第二溝部の両側にそれぞれネジ孔が設けられた構成とした請求項１に記載の簡易式ロープ単方向滑動防止制動装置。
【請求項６】
前記蓋体の第二溝部の両側にそれぞれネジ孔が設けられた構成とした請求項１に記載の簡易式ロープ単方向滑動防止制動装置。
【発明の詳細な説明】
【技術分野】
【０００１】
本発明はロープが単方向に滑動する制動装置の構造設計に関し、ロープを用いてあらゆる物品をしっかりと縛ることができ、ロープを特定の一方向に制御し滑動を止めることができ、使用に便利で物品を縛った後緩みを防止する必要がある場合に適用することができる、簡易式ロープ単方向滑動防止制動装置に関する。
【背景技術】
【０００２】
ロープは長細い軟性の物品であり、物品を縛り緩まないようにするために用いるのに適しており、ロープは往々にして結ぶことで物品を縛り固定するが、ロープは結んだ後に意図せずして緩んでしまいやすく、このため、単方向制動装置をロープに組み合わせて迅速に物品を縛るという利点を形成している。
【０００３】
現在市場にはすでにロープの単方向の滑動を防止するための制動装置があるが、これはロープを滑動防止制動装置の内部に通してあり、このため、ロープの一端が引き動かされると円滑にロープが引き出され、他端が逆方向に引っ張られると、制動装置内部のロック機構が作用し、ロープの滑動を止める効果があり、これは別途切り換えボタンにより切り換えを行わなければ、止められたロープのロックを解除してロープの滑動を可能にすることができず、このため、いかに簡単な構造のロープの滑動防止制動装置を提供するかが本発明の動機である。
【０００４】
本発明は上述の問題に鑑みて、構造をより簡略化したロープの単方向滑動防止制動装置を開発し、キャンプなどにおいてロープで物品を縛る必要のある際にその使用をより便利にし、ロープを単方向に引き動かすとき引けば引くほどロープが緊張するという利点により、消費者に使用上の利便性を提供するものである。
【発明の開示】
【発明が解決しようとする課題】
【０００５】
本発明の主な目的は、部品数が少なく組み立てが容易で、且つ、製造コストを抑え、使用においては確実にロープを緊張させて固定することができ、滑らず確実な位置決め効果を備えた、簡易式ロープ単方向滑動防止制動装置を提供することにある。
【０００６】
本発明の別の目的は、制動装置の前部に脚部を備え、他端に設けられた固定部と連結させることができ、使用上より便利である、簡易式ロープ単方向滑動防止制動装置を提供することにある。
【０００７】
本発明のさらに別の目的は、制動装置の全部にフックを備え、他端の固定部と連結させることができ、使用上より便利である、簡易式ロープ単方向滑動防止制動装置を提供することにある。
【課題を解決するための手段】
【０００８】
上述の目的を達するため、本発明のロープ制動装置は、座体及び蓋体を組み合わせて前記制動装置の外殼を成し、前記座体及び蓋体の内部にローラー及び軸座部が設置され、前記軸座部はその側縁部に押さえ板が設けられ、かつ、蓋体外側に設置された回転つまみが連結されてその軸回転が制御され、前記回転つまみはバネを介して連結され、軸座部を回転させた後弾性により位置を回復することができる。ロープは制動装置下端部の片側のロープ入口溝部から穿入され、軸座部を通過しローラーに掛け回された後、制動装置下端部の他方の側のロープ出口溝部から穿出される。このため、ロープが逆時計回り方向に引き動かされると、円滑に制動装置を通過し、ロープが逆方向、即ち時計回り方向に引き出されると、軸座部の押さえ板がロープを押さえて引き出すことができず、これによりロープの単方向滑動防止制動装置が形成される。制動装置の構造体の前部に脚部を設け、ロープ他端の固定端と嵌合して連結できるようにしてもよく、これによりロープで縛る行為をより便利にすることができる。        
【発明を実施するための最良の形態】
【０００９】
本発明のその他特徴及び具体的な実施例について、以下図面に基づき詳細に説明する。
【実施例１】
【００１０】
図１から図４に示すように、本発明の制動装置１は主に座体１０、蓋体２０、ローラー３０、軸座部３５、回転つまみ４０を含んで成る。
【００１１】
前記座体１０内部には第一溝部１１及び第二溝部１２が設けられ、前記第一溝部１１には前記ローラー３０が収容され、その中央には槽孔１３が設けられ、前記第二溝部１２には前記軸座部３５が収容され、その内部に位置決め孔１４が設けられる。前記座体１０は下端部の片側にロープ入口溝部１５a及びロープ出口溝部１５bがそれぞれ形成され、前記ロープ入口溝部及びロープ出口溝部は前記第一溝部１１と第二溝部１２に通じており、前記第一溝部１１内側には円弧面１５cが形成される。図中の実施例においては、前記座体１０前部に結合部が設けられ、前記結合部はこの図の実施例においては脚部１６を備えた形式とし、前記脚部１６周縁部にネジ孔１８aが設けられると共に、前記第二溝部１２の両側にそれぞれネジ孔１８bが開設され、各ネジ孔１８a、１８bには蓋体２０の各ネジ孔２８a、２８bに上から下へ穿通されたネジ１９が螺合される。
【００１２】
図３に蓋体内側の立体図を示す。この蓋体２０はその外側輪郭が前記座体１０と同じ形状に作られており、前記蓋体２０内部には同様に第一溝部２１及び第二溝部２２が設けられ、前記第一溝部２１の中央には槽孔２３が設けられ、前記第二溝部２２内には通孔２４が開設され、前記通孔２４は蓋体上面に突出した管体２７(図２参照)を備えている。前記蓋体２０の内部には同様に第二溝部２２に貫通し、且つ前記第一溝部２１と通じている２つの溝部２５a、２５bが設けられ、前部には突出片２６が設置され、且つ、この突出片２６上にネジ孔２８aが開設され、さらに前記第二溝部２２両側にそれぞれネジ孔２８bが設けられ、前記座体１０と蓋体２０を相互に閉じ合わせた後ネジ止めすることができる。
【００１３】
図２に示すように、前述の通孔２４は蓋体上面に突出した管体２７を備えており、この管体２７上には回転つまみ４０及びネジ４５が設置され、前記ネジ４５は回転つまみ４０に穿通されて前記軸座部３５上のネジ孔３８に螺合される。前記管体２７はそのそばにフック部２９が設置され、バネ４４の一端が前記フック部２９に固定される。前記ローラー３０は中央に中心孔３１が設けられ、前記中心孔内に中心軸棒３２が穿通され、前記中心軸棒３２が槽孔１３及び槽孔２３の間に位置決めされる。前記軸座部３５は両側にそれぞれ押さえ板３６が設置され、上端部の外側壁面に嵌合平面３７を形成し、ネジ孔３８が上端部に開設される。前記回転つまみ４０内部の中心には軸孔４１が設けられ、前記軸孔４１内に突出部４２が設置される。バネ４４は前記回転つまみ４０内部に設置され、前記バネ４４の一端が前記回転つまみ４０内の嵌入槽４３（図２及び図４参照）に係止され、他端が前記フック部２９に固定される。
【００１４】
組み立て時には、前記ローラー３０を前記座体１０の的第一溝部１１と蓋体２０の第一溝部２１内に設置し、前記ローラー３０の中央に中心軸棒３２を穿置して前記中心軸棒３２の二端をそれぞれ前記座体１０と蓋体２０の槽孔１３、２３内に嵌置し、位置決めする。同時に、前記軸座部３５を前記座体１０の第二溝部１２と蓋体２０の第二溝部２２内に設置し、前記軸座部３５の下端部を前記座体１０の位置決め孔１４内に設置し、上端部を前記蓋体２０の通孔２４に穿通させ、かつ、管体２７の表面に突出させて、各ネジ１９を上から下へ蓋体２０のネジ孔２８a、２８bに穿入して前記座体１０のネジ孔１８a、１８b内に固定する。同時に、前記座体１０の溝部１５a、１５bと蓋体２０の溝部２５a、２５bが閉じ合わされてロープの入口aと出口bが形成され、さらに回転つまみ４０の軸孔４１を前記軸座部３５の上端部に被せ、軸孔４１内の突出部４２と軸座部３５の嵌合平面３７を相互に嵌合し、回転つまみ４０を回転させると同時に軸座部３５を回転させることができるようにし、かつ、回転つまみ４０内に設けたバネ４４の他端が前記蓋体２０のフック部２９に係止されているため、回転つまみ４０を回転させた後弾性により元の位置を回復させることができ、さらにネジ４５を回転つまみ４０に穿入させて前記軸座部３５のネジ孔３８に螺合して一体とし、制動装置１の組み立てが完了する。
【００１５】
図５、図６に示すように、ロープ５０を制動装置１の入口aから穿入し、軸座部３５片側の押さえ板３６を通過させ、逆時計回りの方向にローラー３０に掛け回し、円弧面１５cを通過させて方向を変え、さらに軸座部３５の他方の側の押さえ板３６を通過させて出口bから穿出させる（図５参照)。ロープ５０を入口aから引き出そうとすると（図６の時計回り方向）、軸座部３５がバネ４４の弾性による位置回復の影響を受け、且つ、軸座部３５の押さえ板３６が同時にロープ５０の表面摩擦を受けて牽引され、ロープが時計回りに引かれることにより２つの押さえ板３６の側縁部がロープ５０を押さえ込み、引き動かすことをできなくするため、ロープを時計回りに滑動させて引き出すことはできず、単方向の滑動防止効果が形成される。
【００１６】
図７に示すように、回転つまみ４０を殼体の外側から手動で逆時計回りに回転させると、両側の押さえ板３６とロープ５０との接触が解除され、ロープ５０に対する押さえ込みが解除されて、ロープ５０は入口aから引き出すことができるようになる。
【実施例２】
【００１７】
図８に示すように、前述の制動装置１の具体的な構造設計に基づき、本発明の別の実施例においては、バックル付きベルト６０を別途設け、このバックル付きベルトは後方のベルト６１及び前方に縫いつけられたバックル６２を含み、これにより制動装置１前端部に設けた脚部１６を利用し、この脚部１６とバックル６２を相互に連結させることができる。
【００１８】
図９、図１０に示すように、本発明の制動装置１をボートカバー７０上に応用して使用し、ボートカバーで船体７１を覆う際は、ボートカバーの周縁部に複数のバックル付きベルト６０を縫いつけておき、これらのバックル付きベルト６０の末端はすべてバックル６２が設けられているため、船体７１が運搬台７２で運ばれるとき、運搬台７２上の周辺横棒７３上にロープ５０をくくりつけ、ロープ５０を制動装置１内部に通し、制動装置１上の脚部１６をバックル６２に連結し、続いて出口位置のロープ端Ｘを引くと迅速に制動装置１によりロープを緊張させて固定することができる。このように、バックル付きベルト６０がしっかりとボートカバー７０を引っ張り、船体７１が運搬台７２上に載せられて高速で運搬されるときにボートカバーが強風に吹き飛ばされないようにすることができる。
【００１９】
上述のように、本発明により設計された簡易式ロープ単方向滑動防止制動装置は、簡単な構成部材の組み合わせで効果的に制動装置そのものに単方向の滑動作用を形成すると共に、回転つまみを回転させるとロープを逆方向に滑動させることができ、確実に実用性を備えているため、法に基づきここに特許出願を行うものである。
【図面の簡単な説明】
【００２０】
【図１】本発明の立体外観斜視図である。
【図２】本発明の立体分解図である。
【図３】本発明の蓋体の立体底面図である。
【図４】本発明の組み立て後の上面図である。
【図５】本発明のロープの掛け回し動作を示す断面図である。
【図６】本発明の軸座部が回転してロープを押さえつける動作を示す断面図である。
【図７】本発明の軸座部が回転してロープを解放する動作を示す断面図である。
【図８】本発明に組み合わせるバックル付きベルトの立体外観斜視図である。
【図９】本発明をボートカバーに使用したときの側面図である。
【図１０】本発明をボートカバーに使用したときの上面図である。
【符号の説明】
【００２１】
a        入口                  
b        出口
Ｘ        ロープ端
１        制動装置
１０      座体                
１１      第一溝部
１２      第二溝部          
１３      槽孔
１４      位置決め孔              
１５a    ロープ入口溝部
１５b    ロープ出口溝部            
１５c    円弧面
１６      脚部
１８a、１８b    ネジ孔          
１９      ネジ
２０      蓋体                
２１      第一溝部
２２      第二溝部          
２３      槽孔
２４      通孔                
２５a、２５b    溝部
２６      突出片              
２７      管体
２８a、２８b    ネジ孔          
２９      フック部
３０      ローラー                
３１      中心孔
３２      中心軸棒
３５      軸座部
３６      押さえ板
３７      嵌合平面            
３８      ネジ孔
４０      回転つまみ                
４１      軸孔
４２      突出部              
４３      嵌入槽
４４      バネ                
４５      ネジ
５０      ロープ
６０      バックル付きベルト              
６１      ベルト
６２      バックル
７０      ボートカバー                
７１      船体
７２      運搬台            
７３      横棒
【図１】
2007278360.tif 000003
【図２】
2007278360.tif 000004
【図３】
2007278360.tif 000005
【図４】
2007278360.tif 000006
【図５】
2007278360.tif 000007
【図６】
2007278360.tif 000008
【図７】
2007278360.tif 000009
【図８】
2007278360.tif 000010
【図９】
2007278360.tif 000011
【図１０】
2007278360.tif 000012